(57)【要約】【課題】簡易な構造及び方法で自動販売機内の売上金等の盗難を防止することのできる、自動販売機用盗難防止システムを提供すること。【解決手段】自動販売機の内部に設けられ、自動販売機内部の売上金等の盗難を防止する自動販売機用盗難防止システムは、自動販売機の扉内面に設けられ、細線状の導電体を一筆書き状のパターンに形成したセンサー１４と、センサー１４と導通してセンサー１４の断線を検知する検知器１８と、検知器１８に接続され、検知器１８がセンサー１４の断線を検知したときに、警報を発信する警報機１３とを備えている。【選択図】図５
2014194699.tif 000002
【特許請求の範囲】
【請求項１】
自動販売機の内部に設けられ、前記自動販売機内部の売上金等の盗難を防止する自動販売機用盗難防止システムであって、
前記自動販売機の扉内面に設けられ、細線状の導電体を一筆書き状のパターンに形成したセンサーと、
前記センサーと導通して前記センサーの断線を検知する検知器と、
前記検知器に接続され、前記検知器が前記センサーの断線を検知したときに、警報を発信する警報機とを備えたことを特徴とする自動販売機用盗難防止システム。
【請求項２】
自動販売機内部の売上金等の盗難を防止する自動販売機の盗難防止方法であって、
細線状の導電体を一筆書き状のパターンに形成したセンサーを、前記自動販売機の扉内面に設け、
前記センサーに検知器を導通させ、前記検知器が、前記センサーの断線を検知したときに、前記検知器に接続された警報機により、警報を発信することを特徴とする自動販売機の盗難防止方法。
【発明の詳細な説明】
【技術分野】
【０００１】
本発明は、自動販売機用盗難防止システム及び自動販売機の盗難防止方法に関する。
【背景技術】
【０００２】
飲料等を販売する自動販売機、とりわけ、屋外に設置された自動販売機は、ロックがかかっているドアが、タガネやバール等の工具によって無理矢理こじ開けられて扉が破壊され、内部の商品や金銭が盗難にあう問題が起こっている。
この問題を解消するため、キャビネット側に係止可能なＬ字形部材によってドアの開放を妨げるようにしたものや、ドアの前面側に左右に掛け渡されたチェーンやパイプ材によってドアの開放を妨げるようにしたものや、さらには商品補充や金銭・紙幣回収等の利便性を考慮した自動販売機の盗難防止装置が提案されている（特許文献１参照）。
【０００３】
また、自動販売機に振動センサーや、衝撃センサーを設けておき、自動販売機の一部を破壊して内部の商品、売上金等が盗まれた際、予め設置された監視カメラで自動販売機周辺を撮像することができるようにしておき、盗難を抑制することのできる自動販売機の盗難防止方法が提案されている（特許文献２参照）。
【先行技術文献】
【特許文献】
【０００４】
【特許文献１】特開２００３−１８７３１４号公報
【特許文献２】特開２０００−１４９１１４号公報
【発明の概要】
【発明が解決しようとする課題】
【０００５】
しかしながら、特許文献１に記載の自動販売機の盗難防止装置は、基本的には、自動販売機等の堅牢化を図る技術であり、扉が破壊されるまでの時間稼ぎにすぎず、決定的な防犯対策とはなっていない。
また、特許文献２に記載の自動販売機の盗難防止方法は、監視カメラや振動センサーの設置コストがかかるため、なかなか普及しにくい状況にある。
【０００６】
本発明の目的は、簡易な構造及び方法で自動販売機内の売上金等の盗難を防止することのできる、自動販売機用盗難防止システム及び自動販売機の盗難防止方法を提供することにある。
【課題を解決するための手段】
【０００７】
本発明に係る自動販売機用盗難防止システムは、自動販売機の内部に設けられ、前記自動販売機内部の売上金等の盗難を防止する自動販売機用盗難防止システムであって、前記自動販売機の扉内面に設けられ、細線状の導電体を一筆書き状のパターンに形成したセンサーと、前記センサーと導通して前記センサーの断線を検知する検知器と、前記検知器に接続され、前記検知器が前記センサーの断線を検知したときに、警報を発信する警報機とを備えたことを特徴とする。
この発明によれば、扉内面にセンサーを設けることにより、自動販売機の扉の一部を破壊すると、センサーが断線し、検知器により断線が検知され、警報機により警報が発信されるので、極めて簡易な構造で自動販売機の内部の売上金、商品等の盗難防止を実現することができる。
【０００８】
本発明に係る自動販売機の盗難防止方法は、自動販売機内部の売上金等の盗難を防止する自動販売機の盗難防止方法であって、細線状の導電体を一筆書き状のパターンに形成したセンサーを、前記自動販売機の扉内面に設け、前記センサーに検知器を導通させ、前記検知器が前記センサーの断線を検知したときに、前記検知器に接続された警報機により、警報を発信することを特徴とする。
この発明によっても、前述と同様の作用及び効果を享受できる。
【図面の簡単な説明】
【０００９】
【図１】本発明の第１実施形態に係る自動販売機の構造を表す正面図。
【図２】前記実施形態における料金投入口近傍の正面図。
【図３】前記実施形態における自動販売機にセンサーを取り付けた状態を表す断面図。
【図４】前記実施形態におけるセンサーの形状を表す平面図。
【図５】前記実施形態における自動販売機用盗難防止システムの構造を表す模式図。
【図６】本発明の第２実施形態に係るセンサーの断面図。
【図７】前記実施形態の変形となるセンサーの平面図。
【発明を実施するための形態】
【００１０】
［第１実施形態］
以下、本発明の実施形態を図面に基づいて説明する。
図１には、本発明の第１実施形態に係る自動販売機用盗難防止システムを使用した自動販売機１の正面図が示されている。
自動販売機１は、前面が開口された箱形のキャビネット２と、キャビネット２の開口を開閉自在に覆う前面ドア３とを備える。
キャビネット２内には、図示を略したが、断熱性のサブドアを有する断熱室が設けられている。この断熱室内には、商品を収納するラック、各商品を区画する仕切り板、商品を冷却するための冷却器、加熱するための加熱器が設けられている。
【００１１】
前面ドア３は、キャビネット２の開口の左側端縁に回動自在に支持されている。前面ドア３の右側には、鍵穴４が設けられており、鍵穴４がロックされると、前面ドア３は、開かなくなり、通常は、キャビネット２内の商品や投入された金銭を取り出すことはできなくなる。
前面ドア３の上部には、透明板で覆われた窓穴５が形成されており、内部には、商品サンプル５Ａが複数配列される。また、窓穴５の商品サンプル５Ａの配置位置の直下には、商品選択ボタン６が透明板から露出して設けられている。
【００１２】
前面ドア３の下部には、商品搬出口７と、その右には、釣り銭搬出口８が設けられている。
前面ドア３の鍵穴４の左側には、硬貨投入口９と、紙幣投入口１０が設けられている。
前面ドア３の内部には、硬貨投入口９の位置に応じた位置に硬貨貯留部１１が設けられ、紙幣投入口１０に応じた位置に紙幣貯留部１２が設けられている。
前面ドア３の上部中央には、本実施形態の自動販売機用盗難防止システムを構成する警報機としてのＬＥＤランプ１３が露出して設けられている。
【００１３】
このような構造の自動販売機１内の硬貨貯留部１１に貯留された硬貨や、紙幣貯留部１２に貯留された紙幣を盗む場合、図２に示されるように、タガネを用いて硬貨投入口９及び紙幣投入口１０の下部の前面ドア３を水平方向に線状の貫通孔Ｌ１を開け、続けて垂直方向に線状の貫通孔Ｌ２を開け、前面ドア３をＬ字状に裁断する。
次に、貫通孔Ｌ１と貫通孔Ｌ２が交差する部分に、バールを引っかけて、前面ドア３の一部をめくりあげて破壊し、貯留された硬貨や紙幣を盗むのである。
このため、本実施形態では、自動販売機用盗難防止システムを構成するシート状の盗難防止用センサーとなるセンサー１４を、前面ドア３の内面側に取り付けておき、前面ドア３が水平方向（以下「横方向」とも言う）、垂直方向（以下「縦方向」とも言う）又はＬ字状に裁断されたことを検出できるようにしてある。
【００１４】
センサー１４は、導電体からなるセンサー本体１５と、このセンサー本体１５の一方の面に塗布される粘着剤１６とを備える。図３には、センサー１４を被着体である前面ドア３に貼付した状態を示している。このセンサー１４は、１５０ｍｍ×１５０ｍｍの矩形状に形成されている。矩形の辺の寸法は、導電体のコシに影響される被着体への貼付性や、破壊が想定される箇所をカバーするべく盗難行為に備える面積を考慮して適宜設定されるが、５０ｍｍ〜１０００ｍｍが好ましく、７０ｍｍ〜５００ｍｍがさらに好ましく、１００ｍｍ〜３００ｍｍ程度が特に好ましい。
なお、センサー１４の形状は矩形状に限られることはなく、ひし形、台形、Ｌ字状など前面ドア３の破壊が想定される箇所をカバーできるように覆われることが好ましい。さらには１つの繰り返し形状であるセンサー本体１５を複数組み合わせて構成したり、別々の繰り返し形状であるセンサー本体１５を様々に組み合わせても良い。このように複数の繰り返し形状を組み合わせることで、破壊者のセンサー位置やセンサー形状の予測を困難にし、確実に前面ドア３の裁断を検知することができる。
【００１５】
センサー本体１５は、金、銀、銅、ニッケル、アルミ等金属箔の導電体から形成されている。導電体の厚みは、５〜７０μｍが好ましく、１０μｍ〜５０μｍがさらに好ましい。導電体の厚みが５μｍ未満だとコシがなくなるため貼付性が悪くなったり、薄いがために製造時に断線のおそれがある。導電体の厚みが７０μｍを越えると重量が増すばかりでなく、金属箔の強度が上がり裁断し難くなるおそれがある。
センサー本体１５の導電体の線幅は、０．０１ｍｍ〜５ｍｍが好ましく、０．１ｍｍ〜３ｍｍがさらに好ましく、０．５ｍｍ〜２．５ｍｍが特に好ましい。導電体の線幅が０．０１ｍｍ未満だと線幅が細いがために製造時に断線のおそれがあり、線幅が５ｍｍを超えると導電体の強度が上がり裁断し難くなる場合がある。
導電体の線間の間隔は０．０１ｍｍ〜５ｍｍが好ましく、０．１ｍｍ〜４．５ｍｍがさらに好ましく、２ｍｍ〜４ｍｍが特に好ましい。導電体の線間が０．０１ｍｍ未満であると製造時に線同士が繋がってしまうおそれがあり、５ｍｍを超える場合には前面ドア３の破壊が導電体の線間で行なわれて導電体が裁断されないおそれがある。
【００１６】
粘着剤１６は、例えば、アクリル系、ウレタン系、シリコーン系、ゴム系、ポリエステル系、エポキシ系等から被着体に合わせて任意に選択して用いることができ、複数種を積層したり混合したりして用いても良い。当該粘着剤１６は、センサー本体１５の一面に一定の塗布量で塗布される。当該粘着剤１６の塗布量としては、固形分で５〜７０ｇ／ｍ２が好ましく、１０〜５０ｇ／ｍ２がさらに好ましく、１５〜４０ｇ／ｍ２が特に好ましい。粘着剤１６の塗布量が５ｇ／ｍ２未満だと被着体への接着力が不足するおそれがあり、７０ｇ／ｍ２を超えると粘着剤層の製造時に生産性が悪くなったり、積層されている導電体から過度にはみ出すことによりホコリ等で汚染してしまうおそれがある。この粘着剤１６は、前面ドア３の内面に貼り付けられたときには、内面でセンサー本体１５が短絡しないための絶縁体としても機能する。
【００１７】
粘着剤１６は図示されない剥離紙で被覆されていてもよく、センサー１４が使用されるまでは粘着剤１６が汚染されないように保護する役目をする。剥離紙は、紙の一方の面に剥離剤が塗布された矩形状のシートである。なお、剥離紙としては紙以外にもポリエチレンラミネート紙や、ポリエチレンテレフタレートフィルムやポリプロピレンフィルム、ポリエチレンフィルム等の高分子フィルムに剥離剤が塗布されたものを用いても良い。
剥離剤としてはシリコーン系、フッ素系、長鎖アルキル系、ゴム系等を例示することができ、任意に１種類以上を組み合わせて用いることができる。
剥離剤は必ずしも必要ではなく、必要に応じて使用すればよい。
センサー１４は、剥離紙をはがし、図３に示されるように、前面ドア３の内面３Ａに粘着剤１６によって貼り付けられる。
【００１８】
センサー１４を前面ドア３に貼付する際には、貼付作業時のコシを向上させるために、センサー本体１５表面に保護シートを積層することが好ましい。
保護シートとしては、基材と粘着剤層から構成されるものを用いることができ、基材としてはポリエチレンテレフタレートフィルムやポリプロピレンフィルム、ポリエチレンフィルム等の高分子フィルムや紙、ポリエチレンラミネート紙、不織布などから選択して用いることができる。保護シートの粘着剤層に用いる粘着剤としては、センサー１４を被着体に貼付するための前記粘着剤１６で例示した粘着剤から適宜用いることができる。
保護シートは前面ドア３にセンサー１４を貼付した後にも積層されたままでもよいが、前面ドア３に貼付後に剥がせるようにした方がセンサー１４を切断させやすいので好ましい。保護シートを前面ドア３貼付後に剥がすようにするためには、保護シートに用いる粘着剤を再剥離性の粘着剤を用いるか、粘着力の低い粘着剤を用いればよい。
【００１９】
センサー１４の平面形状は、途中で短絡しないように、細線状の導電体間に隙間を設けて一筆書き状に形成してあればよいが、細線状の導電体がセンサー１４の貼り付け面全体に亘って形成されているのが好ましい。
センサー１４としては、例えば、図４（Ａ）に示されるように、矩形状のセンサー本体１５の内部を４つの矩形部１５１〜１５４に区画し、矩形部１５１、１５４では図面上で右上から左下に向かう斜線形状に、細線状の導電体を往復させ、矩形部１５２、１５３では図面上で左上から右下に向かう斜線形状に、細線状の導電体を往復させたセンサー本体１５を備えたものを採用できる。
センサー本体１５を形成する細線状の導電体の端部は、センサー１４の角隅部に配置され、後述する検知器１８が接続される一対の端子を構成する。尚、端子の配置位置は、それぞれの端子が必ずしも同じ角隅部に位置する必要はないが、検知器１８の接続のし易さを考慮すると同じ角隅部とするのが好ましい。
【００２０】
なお、センサー１４の平面形状はこれにかぎられず、他のセンサー１４Ｂとしては、図４（Ｂ）に示されるように、図面上で左上から右下に向う斜線形状に、細線状の導電体を往復させたセンサー本体１５Ｂを備えたものであってもよい。
さらに、センサー１４Ｃとしては、図４（Ｃ）に示されるように、矩形状のセンサー１４の各辺に沿って、細線状の導電体を次第に中心に回り込むように角形の渦巻き状に往復させたセンサー本体１５Ｃを備えたものであってもよい。
また、センサー１４Ｄとしては、図４（Ｄ）に示されるように、センサー１４Ｄを４つの矩形部１５５〜１５８に区画し、矩形部１５５、１５８では、細線状の導電体を対向する垂直辺間（図面上で左右方向）を往復させ、矩形部１５６、１５７では、細線状の導電体を対向する水平辺間（図面上で上下方向）を往復させたセンサー本体１５Ｄを備えたものであってもよい。
【００２１】
このようなセンサー１４、１４Ｂ〜１４Ｄの導電体のパターンは、溶融したアルミや銅等の導電性金属を、金型に流し込んで形成したり、導電性金属をインクとして印刷により形成したり、レジストでパターンを形成してスパッタリングで形成したり、さらには、エッチングにより形成することができる。尚、種々の形状のサンプルを形成する場合、センサー１４、１４Ｂ〜１４Ｄは、カッティングマシンを用いて形成することもできる。
【００２２】
次に、本実施形態の自動販売機用盗難防止システムの構造について説明する。
図５には、本実施形態に係る自動販売機用盗難防止システムが示されている。この自動販売機用盗難防止システムは、自動販売機１の前面ドア３と、前面ドア３のさらに内側に設けられるサブドアの間の空間に設けられる。
自動販売機用盗難防止システムは、前述したセンサー１４と、検知器１８と、バッテリー１９と、前述したＬＥＤランプ１３とを備える。
検知器１８は、センサー１４のセンサー本体１５の一対の端子に接続され、センサー１４と電気的に導通している。検知器１８は、センサー１４に流れていた電流が切断されたことを検知し、切断を検知した時に警報機に信号を送れるものであればよく、既存の検知器を用いることができる。なお検知器１８に後述する警報機としてのブザーが一体化したものを用いても良い。
【００２３】
バッテリー１９は、検知器１８に接続され、検知器１８に電力を供給する。本実施形態では、ケース内部に乾電池を収容したものを採用している。自動販売機１の内部は加熱状態や冷却状態になっているため、これらの環境に対して、最も耐久性に優れているものとして、乾電池を用いている。
尚、バッテリー１９としては、自動販売機１から電力の供給を受ける蓄電池式のものであってもよい。バッテリーを用いず、自動販売機１から直接電力の供給を受けることも可能であるが、自動販売機１のコンセントを抜かれてしまうと、作動しなくなってしまうので、システムとしては、蓄電池を備えているのが好ましい。
【００２４】
ＬＥＤランプ１３は、検知器１８に接続され、検知器１８がセンサー１４のセンサー本体１５の断線を検知すると、ＬＥＤランプ１３に信号を発信し、ＬＥＤランプ１３を点滅させ、盗難があったことを報知する。警報機としては、警告音を発するブザーを用いてもよく、ＬＥＤランプとブザーを併用してもよい。尚、ＬＥＤランプ１３に加えて検知器１８に発信器を接続しておき、検知器１８がセンサー本体１５の断線を検知すると、発信器から警報電波を発信し、自動販売機１の管理会社等の遠隔地にある受信機でこの警報電波を受信するように構成してもよい。
【００２５】
このような本実施形態によれば、自動販売機１の前面ドア３が、図２に示されるように、タガネによって貫通孔Ｌ１及びＬ２が形成されると、センサー１４のセンサー本体１５が断線し、検知器１８でこの断線を検知し、ブザーによる警報や、ＬＥＤランプ１３が点滅し、自動販売機１の前面ドア３が破壊されたことを報知することができる。従って、図６のような極めて簡単な構造で自動販売機１内の商品、金銭等の盗難を防止することができる。
【００２６】
［第２実施形態］
次に、本発明の第２実施形態について説明する。尚、以下の説明では、既に説明したものと、同一の部材については、同一符号を付して説明を省略する。
前述の第１実施形態では、センサー１４は、細線形状の導電体を一筆書き状に形成したものであった。
これに対して、本実施形態に係るセンサー２０は、図６に示されるように、センサー本体２１、粘着剤１６、剥離紙１７に加え、一筆書き状の導電体であるセンサー本体２１が支持体２２上に設けられている点が相違する。
【００２７】
支持体２２は、面外方向の力によって破れやすいシートを採用することができ、例えば、ポリエチレンテレフタレートフィルムやポリプロピレンフィルム、ポリエチレンフィルム等の高分子フィルムや、紙、ポリエチレンラミネート紙、不織布などを採用することができる。
尚、支持体２２は、剛性、展延性が高いと、センサー本体２１が断線しないことがあるので、剛性が低く破れやすいものを採用するのが好ましい。
支持体２２上に導電体をパターン化する方法としては、支持体２２に金属箔を接着剤で貼り合わせたものの金属面をエッチング等でパターニングしたり、支持体２２上に導電性インクをスクリーン印刷やインクジェット印刷で印刷する方法などが挙げられる。
支持体２２は、導電体をパターン化する際の土台として用いられ、導電体のパターン化工程における補強材として、さらには前面ドア３への貼付作業時の補強材としても機能する。
【００２８】
このような本実施形態によれば、第１実施形態で述べた効果に加え、支持体２２を備えることにより、前面ドア３への貼り付け作業が容易になる上、支持体２２によってセンサー本体２１が保護されるので、センサー２０の耐久性を一層向上させることができる。
【００２９】
［変形例］
センサー本体１５の平面形状は、導電体を種々の一筆書き状のパターンに形成することが可能であり、例えば、図７（Ａ）に示されるように、細線状の導電体を円形の渦巻き状に往復させたセンサー本体２１を備えたものを採用することができる。
また、他のセンサー２０Ｂとしては、図７（Ｂ）に示されるように、細線状の導電体をのこぎり波形状に形成し、水平方向に往復させたセンサー本体２１Ｂを備えたものを採用することもできる。
【００３０】
さらに、センサー２０Ｃとしては、図７（Ｃ）に示されるように、細線状の導電体を波形に形成し、水平方向に往復させたセンサー本体２１Ｃを備えたものを採用することができる。
また、センサー２０Ｄとしては、図７（Ｄ）に示されるように、細線状の導電体を、小さな渦状体を平面的に配列するように形成したセンサー本体２１Ｄを備えたものを採用することができる。
【実施例】
【００３１】
次に、本発明の実施例について説明する。
自動販売機１の前面ドア３を想定した被着体となる板状体に、図２に示されるような線状の貫通孔Ｌ１、Ｌ２を形成し、Ｌ字状の切欠を形成した。
このＬ字状の切欠を覆うようにセンサー１４を貼り付け、このセンサー１４に警報機であるブザーを内蔵した検知器１８を導通させた。検知器１８にはバッテリー１９を導通させ、さらに追加の警報機であるＬＥＤ１３を導通させて、本発明の盗難防止システムを形成した。
【００３２】
センサー１４の貼り付け面とは反対側からＬ字状の切欠にカッターを挿入して、線状の貫通孔Ｌ１、Ｌ２に沿って移動させ、検知器１８からのブザー音の発報と、ＬＥＤランプ１３の点滅を確認した（発報あり：○／発報なし：×）。結果を表１に示す。
尚、実施例１〜実施例５において、センサーは、図４に示されるセンサー１４、１４Ｂ〜１４Ｄの形状のものを採用した（表１参照）。また、表１には、各センサー本体を構成する材質、厚さ、線幅を記載した。その他の部材仕様は以下の通りである。なおセンサーは各金属箔に粘着剤を積層した後、カッティングマシンにて各細線状のパターンを作成した。実験は各々５回ずつ行なった。
銅箔１２μｍ：福田金属箔粉工業株式会社製  ＣＦ−Ｔ９−１２
アルミ箔：日本製箔株式会社製  １Ｎ３０
粘着剤１６：リンテック株式会社製  ＳＫＮ（塗布量３２ｇ／ｍ２）
検知器１８：パナソニック株式会社製  器具用電子ブザー  ＥＢ２１２６
バッテリー１９：パナソニック株式会社製エボルタ単三型乾電池  ＬＲ６ＥＪ
ＬＥＤランプ１３：株式会社東芝製  自動点滅発光ダイオード
【００３３】
【表１】
2014194699.tif 000003
【００３４】
実施例１〜実施例５のいずれのセンサー形状であっても、Ｌ字状の切欠に沿ってカッターを移動させると、センサー１４、１４Ｂ〜１４Ｄが断線し、ブザー音の発報と、ＬＥＤランプ１３の点滅を確認することができた。
【符号の説明】
【００３５】
１…自動販売機、２…キャビネット、３…前面ドア、３Ａ…内面、４…鍵穴、５…窓穴、５Ａ…商品サンプル、６…商品選択ボタン、７…商品搬出口、８…つり銭搬出口、９…硬貨投入口、１０…紙幣投入口、１１…硬貨貯留部、１２…紙幣貯留部、１３…ＬＥＤランプ、１４、１４Ｂ、１４Ｃ、１４Ｄ、２０、２０Ｂ、２０Ｃ、２０Ｄ…センサー、１５、１５Ｂ、１５Ｃ、１５Ｄ、２１、２１Ｂ、２１Ｃ、２１Ｄ…センサー本体、１６…粘着剤、１７…剥離紙、１８…検知器、１９…バッテリー、２２…支持体、１５１、１５２、１５３、１５４、１５５、１５６、１５７、１５８…矩形部、Ｌ１…貫通孔、Ｌ２…貫通孔
【図１】
2014194699.tif 000004
【図２】
2014194699.tif 000005
【図３】
2014194699.tif 000006
【図４】
2014194699.tif 000007
【図５】
2014194699.tif 000008
【図６】
2014194699.tif 000009
【図７】
2014194699.tif 000010